【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
動的に分散されたポータルベースのアプリケーション処理システムにおいて、
パケット・データ・ネットワークに動作可能に結合されたリモート処理ファシリティであって、アプリケーション・サーバによって送信されたメッセージに応じて、アプリケーション・サービスに関連付けられた少なくとも１つの処理動作を実施するように動作するリモート処理ファシリティと、
ディスプレイ、ワイヤレス通信機能及びシンクライアント・アプリケーションを備える少なくとも１つの移動局であって、前記シンクライアント・アプリケーションが、
前記アプリケーション・サーバと対話して、インターフェイス画面を表すデータを含むメッセージを受信し、
前記ディスプレイ上で前記インターフェイス画面をレンダリングし、
ユーザによって与えられた入力に基づいてメッセージを組み立て、
前記組み立てられたメッセージを前記アプリケーション・サーバに送信するように動作する前記移動局と、
セルラー・ネットワークを介して前記少なくとも１つの移動局と対話して、前記少なくとも１つの移動局に、前記アプリケーション・サービスを対象としたインターフェイス画面を表すデータを含むメッセージを送信し、
前記リモート処理ファシリティと対話して、前記少なくとも１つの移動局に前記アプリケーション・サービスを提供するように動作するアプリケーション・サーバとを備えるシステム。
【請求項２】
前記少なくとも１つの移動局が、活動化されると前記シンクライアント・アプリケーションを起動するように動作するホットキー機能をさらに備え、前記シンクライアント・アプリケーションが、起動されると、前記アプリケーション・サーバに要求を送信するように動作する、請求項１記載のシステム。
【請求項３】
前記移動局の少なくとも１つがセルラー電話である、請求項１記載のシステム。
【請求項４】
前記アプリケーション・サーバが、前記セルラー・ネットワークに動作可能に接続され、前記セルラー・ネットワークの動作をサポートするコア・ネットワークに結合される、請求項１記載のシステム。
【請求項５】
前記アプリケーション・サーバが、前記少なくとも１つの移動局にページベースのインターフェイスを提供するように動作する、請求項１記載のシステム。
【請求項６】
動的に分散されたポータルベースのアプリケーション処理システムにおいて、
少なくとも１つの移動局とのワイヤレス接続を確立し維持するように動作するセルラー・ネットワークと、
前記セルラー・ネットワークに動作可能に接続され、前記セルラー・ネットワークの動作をサポートするコア・ネットワークであって、アプリケーション・サーバを備えるコア・ネットワークと、
前記コア・ネットワークに動作可能に接続された外部パケット・データ・ネットワークであって、リモート処理サーバを備える前記外部データ・パケット・ネットワークとを備え、
前記アプリケーション・サーバが、前記外部パケット・データ・ネットワークを介して前記リモート処理サーバと対話して、前記セルラー・ネットワークを介して前記アプリケーション・サーバにアクセスする移動局にアプリケーション・サービスを提供するシステム。
【請求項７】
（１）前記アプリケーション・サーバが、前記少なくとも１つの移動局にページベースのインターフェイスを提供するように動作する、
（２）前記セルラー・ネットワークが少なくとも１つの基地局コントローラ及び少なくとも１つのトランシーバ基地局を備える
（３）前記セルラー・ネットワークが少なくとも１つの無線ネットワーク・サブシステムを備え、前記無線ネットワーク・サブシステムが少なくとも１つの無線ネットワーク・コントローラとノードＢ機能を実装する少なくとも１つのワイヤレス・トランシーバとを備える、
（４）前記少なくとも１つの移動局がセルラー電話である、
（５）前記少なくとも１つの移動局が、ディスプレイ、ワイヤレス通信機能及びシンクライアント・アプリケーションを備え、前記シンクライアント・アプリケーションが、アプリケーション・サーバと対話して、インターフェイス画面を表すデータを含むメッセージを受信し、前記ディスプレイ上で前記インターフェイス画面をレンダリングし、ユーザによって与えられた入力に基づいてメッセージを組み立て、前記組み立てられたメッセージを前記アプリケーション・サーバに送信するように動作する、
のうち少なくとも１つが適用されることを特徴とする請求項６記載のシステム。
【請求項８】
前記セルラー・ネットワークがＧＳＭネットワークであり、前記コア・ネットワークがＧＰＲＳコア・ネットワークであり、
前記コア・ネットワークが少なくとも１つのゲートウェイＧＰＲＳ支援ノードを備え、あるいは、前記コア・ネットワークが少なくとも１つのサービスＧＰＲＳ支援ノードを備える、請求項６記載のシステム。
【請求項９】
セルラー・システムのためのポータルベースのアプリケーション・システムであって、  ディスプレイ、セルラー通信機能及びシンクライアント・アプリケーションを備える少なくとも１つの移動局と、
セルラー・ネットワークを介して前記少なくとも１つの移動局と対話して、前記少なくとも１つの移動局に、前記アプリケーション・サービスを対象としたインターフェイス画面を表すデータを含むメッセージを送信ように動作するアプリケーション・サーバとを備え、
前記シンクライアント・アプリケーションが、
前記アプリケーション・サーバと対話して、インターフェイス画面を表すデータを含むメッセージを受信し、
前記ディスプレイ上で前記インターフェイス画面をレンダリングし、
ユーザによって与えられた入力に基づいてメッセージを組み立て、
前記組み立てられたメッセージを前記アプリケーション・サーバに送信するように動作するシステム。
【請求項１０】
前記少なくとも１つの移動局が、活動化されると前記シンクライアント・アプリケーションを起動するように動作するホットキーをさらに備え、前記シンクライアント・アプリケーションが、起動されると、前記アプリケーション・サーバに要求を送信するように動作する、請求項９記載のシステム。
【請求項１１】
動的に分散されたポータルベースのアプリケーション処理システムにおいて、
少なくとも１つの移動局とのワイヤレス接続を確立し維持するように動作するセルラー・ワイヤレス・ネットワークと、
前記セルラー・ワイヤレス・ネットワークに動作可能に接続され、前記セルラー・ワイヤレス・ネットワークの動作をサポートするコア・ネットワークであって、アプリケーション・サーバを備えるコア・ネットワークと、
前記コア・ネットワークに動作可能に接続された外部パケット・データ・ネットワークであって、リモート処理サーバを備える前記外部パケット・データ・ネットワークとを備え、
前記アプリケーション・サーバが、
前記少なくとも１つの移動局からメッセージを受信し、
前記少なくとも１つの移動局にメッセージを送信し、
前記少なくとも１つの移動局から受信された前記メッセージに基づいて、前記リモート処理サーバと対話するように動作し、
前記リモート処理サーバが、
前記アプリケーション・サーバからメッセージを受信し、
前記受信されたメッセージに基づいて、少なくとも１つの処理動作を実施し、
前記アプリケーション・サーバに応答メッセージを送信するように動作するシステム。
【請求項１２】
前記セルラー・ワイヤレス・ネットワークがＧＳＭネットワークであり、前記コア・ネットワークがＧＰＲＳコア・ネットワークである、請求項１１記載のシステム。
【請求項１３】
前記コア・ネットワークが少なくとも１つのゲートウェイＧＰＲＳ支援ノードを備える、請求項１２記載のシステム。
【請求項１４】
前記コア・ネットワークが少なくとも１つのサービスＧＰＲＳ支援ノードを備える、請求項１２記載のシステム。
【請求項１５】
前記セルラー・ワイヤレス・ネットワークが少なくとも１つの基地局コントローラ及び少なくとも１つのトランシーバ基地局を備える、請求項１１記載のシステム。
【請求項１６】
前記セルラー・ワイヤレス・ネットワークが少なくとも１つの無線ネットワーク・サブシステムを備え、前記無線ネットワーク・サブシステムが少なくとも１つの無線ネットワーク・コントローラとノードＢ機能を実装する少なくとも１つのワイヤレス・トランシーバとを備える、請求項１１記載のシステム。
【請求項１７】
前記少なくとも１つの移動局がセルラー電話である、請求項１１記載のシステム。
【請求項１８】
前記移動局が、要求を組み立て、前記アプリケーション・サーバに送信するように動作するブラウザ・クライアント・アプリケーションを含む、請求項１１記載のシステム。
【請求項１９】
前記コア・ネットワークが、移動局と前記アプリケーション・サーバの間の通信のプロキシとなるように動作するゲートウェイ・サーバをさらに備える、請求項１１記載のシステム。
【請求項２０】
前記少なくとも１つの移動局及び前記アプリケーション・サーバが、パケット交換による接続を介して通信する、請求項１１記載のシステム。
【請求項２１】
動的に分散されたポータルベースのアプリケーション処理システムにおいて、
少なくとも１つの移動局とのワイヤレス接続を確立し維持するように動作するセルラー・ワイヤレス・ネットワークと、
前記セルラー・ワイヤレス・ネットワークに動作可能に接続され、前記セルラー・ワイヤレス・ネットワークの動作をサポートするコア・ネットワークであって、アプリケーション・サーバを備える前記コア・ネットワークと、
前記コア・ネットワークに動作可能に接続された外部パケット・データ・ネットワークであって、リモート処理サーバを備える前記外部データ・パケット・ネットワークとを備え、
前記アプリケーション・サーバが、
少なくとも１つの移動局とインターフェイスをとり、
前記少なくとも１つの移動局から受信されたデータ及び識別子を含むメッセージを前記リモート処理サーバに送信し、
前記識別子を含む応答メッセージを前記リモート処理サーバから受信し、
前記応答メッセージ中の前記データを前記少なくとも１つの移動局に送信するように動作し、
前記リモート処理サーバが、
前記アプリケーション・サーバからメッセージを受信し、
受信されたメッセージに基づいて少なくとも１つの処理動作を実行し、
前記アプリケーション・サーバに応答メッセージを送信するように動作するシステム。
【請求項２２】
前記識別子が移動局にとって一意である、請求項２１記載のシステム。
【請求項２３】
前記識別子が、前記ワイヤレス・クライアント装置に対応するネットワーク層アドレスである、請求項２２記載のシステム。
【請求項２４】
前記識別子が前記アプリケーション・サーバと移動局の間の前記セッションを識別する、請求項２１記載のシステム。
【請求項２５】
前記アプリケーション・サーバが、前記移動局にフォワードされる前記応答メッセージに、カスタマイズされたコンテンツを追加するように動作する、請求項２１記載のシステム。
【請求項２６】
セルラー・ワイヤレス・ネットワークのための、動的に分散されたポータルベースのアプリケーション・アーキテクチャを円滑にする方法であって、
セルラー・ネットワークをサポートするコア・ネットワーク内部にアプリケーション・サーバを設置し、前記コア・ネットワークが、外部公衆データ・ネットワークに動作可能に接続されることと、
前記アプリケーション・サーバを、
前記セルラー・ワイヤレス・ネットワークに関連付けられた移動局とインターフェイスをとり、
前記移動局によって開始されるセッションに応じて、前記外部公衆データ・ネットワークに動作可能に接続されたリモート処理サーバと対話するように構成することとを含む方法。
【請求項２７】
前記アプリケーション・サーバを、前記移動局にカスタマイズされたコンテンツを提供するように構成することをさらに含む、請求項２６記載の方法。